(57)【要約】【課題】感染症などの検査の現場などに非識字の被験者や検査補助者がいる場合でも、ネットワークを利用した情報システムを利用せずに、被験者とカルテや検体との対応付けを可能にする印刷システムを提供すること。【解決手段】印刷システム１は、顔写真Ｆを入力するデジタルカメラ３と、顔写真ＦにシンボルＳを対応づけるコンピューター４と、被験者ＩＤシート２を発行するカラープリンター５を有する。カラープリンター５は印刷媒体として複合ラベル用紙２０を用い、被験者ＩＤシート２として、顔写真ＦとシンボルＳを印刷したリストバンド用ラベル２２と、シンボルＳを印刷したシンボルラベル２３を含むものを発行する。リストバンド３３に貼り付けられたリストバンド用ラベル２２と検体収容容器に貼り付けられたシンボルラベル２３により被験者と検体を対応付けることができる。【選択図】図３
2014182424.tif 000002
【特許請求の範囲】
【請求項１】
対象者の画像を入力する入力部と、
シンボルを記憶する記憶部と、
前記対象者の画像に前記記憶部に記憶された前記シンボルを対応づける処理部と、
前記対象者の画像および前記シンボルを印刷媒体に印刷する印刷部と、
を有することを特徴とする印刷装置。
【請求項２】
前記印刷部は、前記印刷媒体として台紙にラベルが貼り付けられたラベル用紙を用い、
前記対象者の画像および前記シンボルが印刷された第１ラベル、および、前記シンボルが印刷された第２ラベルを印刷する請求項１に記載の印刷装置。
【請求項３】
前記処理部は、前記対象者の画像または前記シンボルと対応する番号を生成し、
前記印刷部は、前記第１ラベルおよび前記第２ラベルに、前記番号を印刷する請求項２に記載の印刷装置。
【請求項４】
前記処理部は、前記対象者の画像または前記シンボルと対応するコードを生成し、
前記印刷部は、前記第１ラベルおよび前記第２ラベルに、前記コードを印刷する請求項２に記載の印刷装置。
【請求項５】
前記印刷部は、前記対象者の画像をカラーで印刷する請求項１乃至４のいずれか１項に記載の印刷装置。
【請求項６】
対象者を撮像し、撮像された対象者の画像を送信する撮像装置と、
前記撮像装置から送信された前記対象者の画像を入力する入力部、シンボルを記憶する記憶部、前記対象者の画像に前記記憶部に記憶された前記シンボルを対応づける処理部、及び前記処理で対応付けられた前記シンボルと前記対象者の画像とを送信する送信部を有する画像処理装置と、
前記画像処理装置の送信部から送信された前記シンボルと前記対象者の画像を受信し、受信された前記シンボルと前記対象者の画像とを印刷媒体に印刷する印刷装置と、
を備えることを特徴とする印刷システム。
【請求項７】
対象者の画像を入力する入力部、シンボルを記憶する記憶部、前記対象者の画像に前記記憶部に記憶された前記シンボルを対応づける処理部、前記対象者の画像および前記シンボルを印刷する印刷部を備える印刷装置により発行され、前記対象者の画像および前記シンボルが印刷された第１ラベルと前記シンボルが印刷された第２ラベルとを有することを特徴とする印刷物。
【発明の詳細な説明】
【技術分野】
【０００１】
本発明は、医療用などに用いられる印刷システムおよびＩＤシートに関する。
【背景技術】
【０００２】
医療機関で感染症などの検査を行う場合には、被験者のカルテを準備し、被験者から唾液や血液などの検体を採取する。その後に、この検体を検査機にかけ、検査結果をカルテに記入し、しかる後に被験者に通知する。ここで、被験者のカルテや検体が他の被験者のカルテや検体と取り違えられる可能性がある。従って、医療機関では、情報システムを用いて、これらの取り違えを防止している。特許文献１に記載の医療情報システムでは、カルテ番号などを担持したＩＣタグが埋め込まれたリストバンドを被験者に所持させておき、処置を行う際には、ＩＣタグに担持された情報に基づいて無線ＬＡＮなどのネットワーク上のサーバーにアクセスし、情報端末に被験者の顔写真や処置内容などを表示させて、被験者とカルテの対応を確認している。
【先行技術文献】
【特許文献】
【０００３】
【特許文献１】特許第３９７２５７８号公報
【発明の概要】
【発明が解決しようとする課題】
【０００４】
新興国で感染症などの検査が行われる場合には、検査を実施する施設にＬＡＮなどのネットワーク環境が構築されていないことがある。この場合には、ネットワークを利用した情報システムを用いて被験者とカルテや検体の取り違えを防止することはできない。また、新興国において感染症などの検査が行われる場合には、非識字の被験者や検査補助者がいることがあり、この点でも、被験者とカルテや検体との取り違えの発生を防止することが困難となっている。
【０００５】
本発明は、かかる問題点に鑑みて、感染症などの検査の現場などで非識字の被験者や検査補助者がいる場合でも、ネットワークを利用した情報システムを利用せずに、被験者と検体との対応付けを可能にする印刷装置、印刷システムおよび印刷物を提供することにある。
【課題を解決するための手段】
【０００６】
上記の課題を解決するために、本発明の印刷装置は、
対象者の画像を入力する入力部と、
シンボルを記憶する記憶部と、
前記対象者の画像に前記記憶部に記憶された前記シンボルを対応づける処理部と、
前記対象者の画像および前記シンボルを印刷媒体に印刷する印刷部と、
を有することを特徴とする。
【０００７】
本発明によれば、印刷装置から発行される印刷物には顔写真とシンボルが印刷されている。従って、例えば、感染症などの検査を行う現場で被験者の顔写真とシンボルを印刷した印刷物を発行して被験者に所持させれば、シンボルおよび顔写真の少なくとも一方を被験者の識別情報としてカルテや検体を管理することが可能となる。また、非識字の被験者や検査補助者がいる場合でも、顔写真やシンボルに基づいて被験者に対応するカルテや検体を特定することが可能となるので、これらの取り違えの発生を防止或いは抑制できる。
【０００８】
本発明において、前記印刷部は、前記印刷媒体として台紙にラベルが貼り付けられたラベル用紙を用い、前記対象者の画像および前記シンボルが印刷された第１ラベル、および、前記シンボルが印刷された第２ラベルを印刷することが望ましい。このようにすれば、例えば、感染症などの検査を行う現場において、顔写真およびシンボルが印刷された第１ラベルを被験者に装着されるリストバンドに貼り付け、シンボルが印刷された第２ラベルを被験者から採取した検体を収容している検体収容容器に貼り付けることができる。これにより、第１ラベルに基づいてリストバンドを装着している被験者の本人確認が可能となり、シンボルに基づいて被験者と検体とを対応付けることが可能となる。従って、非識字の被験者や検査補助者がいる場合でも、これらの取り違えの発生を防止することができる。また、検体収容容器には、顔写真が印刷されていない第２ラベルを貼り付けることができるので、個人情報（顔写真）を秘匿することが可能である。
【０００９】
本発明において、前記処理部は、前記対象者の画像または前記シンボルと対応する番号を生成し、前記印刷部は、前記第１ラベルおよび前記第２ラベルに、前記番号を印刷することが望ましい。このようにすれば、例えば、被験者と検体を管理番号によって管理できる。
【００１０】
本発明において、前記処理部は、前記対象者の画像または前記シンボルと対応するコードを生成し、前記印刷部は、前記第１ラベルおよび前記第２ラベルに、前記コードを印刷することが望ましい。コードとして、例えば、管理番号を示すバーコード・２次元コードなどの機械読み取り可能なコードを印刷すれば、被験者と検体を管理番号によって管理できる。
【００１１】
本発明において、前記印刷部は、前記対象者の画像をカラーで印刷することが望ましい。このようにすれば、被験者と印刷物との対応を確認することが容易となる。
【００１２】
次に、本発明の印刷システムは、
対象者を撮像し、撮像された対象者の画像を送信する撮像装置と、
前記撮像装置から送信された前記対象者の画像を入力する入力部、シンボルを記憶する記憶部、前記対象者の画像に前記記憶部に記憶された前記シンボルを対応づける処理部、及び前記処理で対応付けられた前記シンボルと前記対象者の画像とを送信する送信部を有する画像処理装置と、
前記画像処理装置の送信部から送信された前記シンボルと前記対象者の画像を受信し、受信された前記シンボルと前記対象者の画像とを印刷媒体に印刷する印刷装置と、
を備えることを特徴とする。
【００１３】
本発明によれば、印刷システムにより発行される印刷物には顔写真とシンボルが印刷されている。従って、例えば、感染症などの検査を行う現場で被験者の顔写真とシンボルを印刷した印刷物を発行して被験者に所持させれば、シンボルおよび顔写真の少なくとも一方を被験者の識別情報としてカルテや検体を管理することが可能となる。また、非識字の被験者や検査補助者がいる場合でも、顔写真やシンボルに基づいて被験者に対応するカルテや検体を特定することが可能となるので、これらの取り違えの発生を防止或いは抑制できる。
【００１４】
次に、本発明は印刷物であって、対象者の画像を入力する入力部、シンボルを記憶する記憶部、前記対象者の画像に前記記憶部に記憶された前記シンボルを対応づける処理部、前記対象者の画像および前記シンボルを印刷する印刷部を備える印刷装置により発行され、前記対象者の画像および前記シンボルが印刷された第１ラベルと前記シンボルが印刷された第２ラベルとを有することを特徴とする。
【００１５】
本発明によれば、感染症などの検査を行う現場において、印刷物から第１ラベルを剥がして被験者に装着されるリストバンドに貼り付けることができる。また、第２ラベルを剥がして被験者の検体を収容している検体収容容器に貼り付けることができる。これにより、第１ラベルに基づいてリストバンドを装着している被験者の本人確認が可能となり、シンボルに基づいて被験者と検体とを対応付けることが可能となる。また、非識字の被験者や検査補助者がいる場合でも、顔写真やシンボルに基づいて被験者に対応するカルテや検体を特定することが可能となるので、これらの取り違えの発生を防止或いは抑制できる。
【図面の簡単な説明】
【００１６】
【図１】本発明を適用した印刷システムの概略ブロック図である。
【図２】印刷システムにより発行される被験者ＩＤシートの例である。
【図３】被験者ＩＤシートの使用例である。
【発明を実施するための形態】
【００１７】
以下に、図面を参照して、本発明を適用した印刷システムを説明する。図１は本発明を適用した印刷システムの概略ブロック図である。図２は印刷システムにより発行される被験者ＩＤシートの例である。図３は被験者ＩＤシートの使用例である。
【００１８】
（印刷システム）
本発明の印刷システム１は、例えば、新興国で感染症などの検査が行われる際に、検査会場の受付に設置されて用いられる。印刷システム１からは、被験者（対象者）とカルテと検体を対応付ける被験者ＩＤシート（印刷物）２が発行される。
【００１９】
印刷システム１は、デジタルカメラ（撮像装置）３と、コンピューター（画像処理装置）４と、カラープリンター（印刷装置）５を備えている。デジタルカメラ３とコンピューター４、および、コンピューター４とカラープリンター５は、それぞれケーブル６、７によって通信可能に接続されている。コンピューター４はディスプレイ８とキーボードなどの入力装置９を備えている。
【００２０】
デジタルカメラ３は被験者の顔を撮影するために用いられる。デジタルカメラ３によって被験者の顔が撮影されると、デジタルカメラ３からコンピューター４に被験者の顔写真データ（画像）が転送される。
【００２１】
コンピューター４は、顔写真データ受信部（入力部）１１、シンボル生成部（記憶部）１２、データ処理部（処理部）１３、被験者データベース１４、被験者情報入力部１５、印刷データ生成部１６、および、プリンター制御部（送信部）１７を備えている。
【００２２】
顔写真データ受信部１１はデジタルカメラ３からの顔画像データを受信する。顔写真データ受信部１１は、例えば、ＵＳＢなどの通信インターフェースを備えている。
【００２３】
シンボル生成部１２は、顔写真データ受信部１１が顔画像データを受信するとシンボルデータを生成する。本例のシンボルデータは、動物の顔を３つ配列したイラストを印刷するものである（図２参照）。シンボル生成部１２は、動物の顔のイラストデータとして、予め、ライオン、猫、犬、猿、象など１０種類を記憶保持しており、このうちの３つイラストデータを選択して配列したものをシンボルデータとしている。従って、本例のシンボル生成部１２は他のシンボルと識別可能な１０００個のシンボルデータを生成する。
【００２４】
データ処理部１３は、受信した顔写真データと生成されたシンボルデータを１対１で関連づけて被験者データベース１４に記憶保持する。また、データ処理部１３は、シンボルデータと管理番号とを１対１で関連づけて被験者データベース１４に記憶保持する。シンボルデータには、例えば、各動物の顔のイラストデータに０から９までの数字を対応させることにより生成される３桁の番号が対応づけられる。
【００２５】
被験者情報入力部１５は、顔画像データに基づいて顔写真を表示する本人表示欄と個人情報の入力欄とを備える入力画面１８をディスプレイ８に表示する。また、被験者情報入力部１５は、入力部９を介して入力欄に入力された氏名や生年月日など被験者の個人情報をデータ処理部１３に送る。個人情報は、データ処理部１３において顔写真データ、シンボルデータおよび管理番号と対応付けられて被験者データベース１４に記憶保持される。
【００２６】
印刷データ生成部１６は、被験者情報入力部１５における個人情報の受け付けが終了すると、互いに対応付けられた顔写真データ、シンボルデータ、管理番号、個人情報に基づいて、被験者ＩＤシート２を印刷する印刷データを生成する。
【００２７】
ここで、カラープリンター５では、印刷媒体として、１ページ分の台紙に型抜きされた９枚のラベルが貼り付けられた複合ラベル用紙２０が用いられている（図２参照）。印刷データは、これら９枚のラベルのうちの２枚のラベルに、顔写真Ｆ、管理番号Ｎおよび個人情報Ｉを印刷し、１枚のラベルに顔写真Ｆ、シンボルＳ、管理番号Ｎおよび個人情報Ｉを印刷し、残りの６枚のラベルにシンボルＳおよび管理番号Ｎを印刷するものである。
【００２８】
プリンター制御部１７は、印刷データをカラープリンター５に送信することにより当該カラープリンター５を駆動制御して被験者ＩＤシート２を発行する。
【００２９】
（被験者ＩＤシート）
図２に示すように、被験者ＩＤシート２の左端部分には、２枚の矩形のラベルが上下に配置されている。これらのラベルは、一方が被験者に用意されたカルテ３１に貼り付けられ、他方がカルテ台帳３２に貼り付けられるカルテ用ラベル２１である。カルテ用ラベル２１には、顔写真Ｆ、個人情報Ｉ、管理番号Ｎが印刷されている。顔写真Ｆはカラーで印刷されている。
【００３０】
被験者ＩＤシート２においてカルテ用ラベル２１の右側の上側部分には、横方向に長い矩形のラベルが配置されている。このラベルは、検査時に被験者の手首に巻き付けられるリストバンド３３に貼り付けられるリストバンド用ラベル（第１ラベル）２２である。リストバンド用ラベル２２には、顔写真Ｆ、個人情報Ｉ、管理番号Ｎ、シンボルＳが印刷されている。顔写真ＦおよびシンボルＳはカラーで印刷されている。
【００３１】
リストバンド用ラベル２２の下側には、縦方向に細長い６枚の矩形のラベルが、横方向に配列されている。これらのラベルは、被験者から採取した検体を収容する試験管などの検体収容容器３４や、検査機器から出力される検査結果レポート３５に貼り付けられるシンボルラベル（第２ラベル）２３である。各シンボルラベル２３には、管理番号ＮとシンボルＳが印刷されている。シンボルＳはカラーで印刷されている。
【００３２】
ここで、複合ラベル用紙２０には、６枚のシンボルラベル２３を囲む矩形の領域を、台紙を含めて切り離し可能とする第１のミシン目２４が設けられている。また、複合ラベル用紙２０には、６枚のシンボルラベル２３を２枚毎に切り離し可能とする第２のミシン目２５が設けられている。
【００３３】
（印刷システムおよび被験者ＩＤシートの使用の例）
感染症などを検査する検査会場には、受け付けテーブル、検体採取テーブル、検査テーブルが設けられている。受け付けテーブルには印刷システム１が設置されている。検体採取テーブルには、血液などの検体を採取する医療用具が設置されている。検査テーブルには検体を検査する検査機器が設置されている。会場を訪れた被験者は、受け付けテーブル、検体採取テーブル、検査テーブルをこの順番に経由して検査を受ける。検査結果は検査テーブルあるいは別の場所において、場合により後日検査結果レポート３５として被験者に手渡される。
【００３４】
受け付けテーブルには、個人情報Ｉの入力処理を行う医療スタッフと、受け付けを補助する補助スタッフ（検査補助者）が配置されている。検体採取テーブルには検体の採取を行う医療スタッフと、被験者の誘導などを行う補助スタッフが配置されている。検査テーブルには、検査機器を操作する医療スタッフと、被験者に検査結果を手渡す補助スタッフが配置されている。
【００３５】
受け付けテーブルでは、補助スタッフが会場を訪れた被験者の顔をデジタルカメラ３により撮影する。撮影が終了すると、医療スタッフは入力画面１８に表示された顔写真を確認しながら、被験者の氏名、生年月日をコンピューター４に入力する。これにより、印刷システム１から図２に示す被験者ＩＤシート２が発行される。
【００３６】
被験者ＩＤシート２が発行されると、補助スタッフは被験者用のカルテ３１を用意し、図３（ａ）に示すように、被験者ＩＤシート２から剥がした１枚のカルテ用ラベル２１をこのカルテ３１に貼り付ける。また、補助スタッフは被験者ＩＤシート２から残りの１枚のカルテ用ラベル２１を剥がし、図３（ｂ）に示すように、カルテ台帳３２に貼り付ける。さらに、補助スタッフは、被験者ＩＤシート２からリストバンド用ラベル２２を剥がし、図３（ｃ）に示すように、リストバンド３３に貼り付ける。そして、補助スタッフは、被験者の顔とリストバンド用ラベル２２に印刷された顔写真Ｆを確認しながら、被験者にリストバンド３３を装着する。その後、補助スタッフは、カルテ３１を検査テーブルに届ける。
【００３７】
リストバンド３３が装着された被験者は、被験者ＩＤシート２を所持して検体採取テーブルに向かう。検体採取テーブルでは、補助スタッフが被験者のリストバンド３３のリストバンド用ラベル２２のシンボルＳと、被験者ＩＤシート２に残っているシンボルラベル２３のシンボルＳの一致を確認して、被験者と被験者ＩＤシート２の対応を確かめる。
【００３８】
被験者と被験者ＩＤシート２の対応が確認されると、医療スタッフは、被験者から複数の検体を採取し、それぞれ検体収容容器３４に収容する。また、医療スタッフは、被験者ＩＤシート２からシンボルラベル２３を剥がして、図３（ｄ）に示すように、各検体収容容器３４に貼り付ける。その後、検体の採取が終了すると、補助スタッフは、第１のミシン目２４或いは第２のミシン目２５に沿って被験者ＩＤシート２から残りのシンボルラベル２３が含まれている領域を切り離し、切り離した領域を検体収容容器３４とともに検査テーブルに届ける。
【００３９】
検査テーブルでは、検体採取テーブルから届けられた検体の検査が医療スタッフによって行われている。検査機器による検体の検査に際しては、検体に貼り付けられているシンボルラベル２３に印刷された管理番号Ｎが医療スタッフにより検査機器に入力される。
【００４０】
ここで、検査機器による検査が終了すると検査機器から検査結果レポート３５が発行される。検査結果レポート３５には、医療スタッフにより入力された管理番号Ｎと、検査結果が印刷されている。
【００４１】
検査結果レポート３５が発行されると、医療スタッフは、図３（ｅ）に示すように、発行された検査結果レポート３５に印刷された管理番号Ｎと、検体採取テーブルから届けられたシンボルラベル２３の管理番号Ｎの一致を確認して、シンボルラベル２３を検査結果レポート３５に貼り付ける。また、医療スタッフは、検査結果レポート３５の管理番号Ｎと一致する管理番号Ｎが印刷されたカルテ用ラベル２１が貼り付けられたカルテ３１を特定して、検査結果レポート３５の内容をカルテ３１に記入する。
【００４２】
その後、検査結果レポート３５は補助スタッフによって被験者に手渡される。この際に、補助スタッフは、まず、検査結果レポート３５に貼り付けられているシンボルラベル２３のシンボルＳと、被験者のリストバンド３３に貼り付けられたリストバンド用ラベル２２のシンボルＳを確認して、検査結果レポート３５とリストバンド３３の対応を確認する。また、リストバンド用ラベル２２の顔写真Ｆと被験者の顔を確認して、リストバンド３３と被験者本人の対応を確認する。しかる後に、被験者に対して検査結果レポート３５を手渡す。
【００４３】
なお、カルテ３１に記入された内容は、その後に、医療スタッフによってコンピューター４に入力され、顔写真データ、シンボルデータ、管理番号Ｎ、個人情報Ｉに関連付けられて被験者データベース１４に記憶保持される。
【００４４】
本例によれば、カルテ用ラベル２１およびリストバンド用ラベル２２に印刷された顔写真Ｆを用いて、被験者とカルテ３１、カルテ３１とカルテ台帳３２、および、被験者とリストバンド３３を対応付けることができる。また、リストバンド用ラベル２２およびシンボルラベル２３に印刷されたシンボルＳを用いて、リストバンド３３を装着している被験者と検体収容容器３４、および、リストバンド３３を装着している被験者と検査結果レポート３５を対応付けることができる。よって、非識字の被験者や補助スタッフがいる場合でも、ＬＡＮなどの情報ネットワークを使用せずに、被験者、カルテ３１、カルテ台帳３２、検体収容容器３４および検査結果レポート３５を対応づけることができ、これらの取り違えを防止あるいは抑制できる。
【００４５】
また、本例によれば、検体収容容器３４および検査結果レポート３５に貼り付けられるシンボルラベル２３には顔写真や個人情報が印刷されていないので、被験者の個人情報が保護される。
【００４６】
（その他の実施の形態）
上記の例では、カルテ用ラベル２１、リストバンド用ラベル２２およびシンボルラベル２３に管理番号Ｎを印刷しているが、管理番号Ｎを示すバーコードあるいは２次元コードを印刷してもよい。この場合には、バーコードリーダーあるいは２次元コードリーダーを用いて管理番号Ｎの確認や検査機器への入力を行うことができる。また、カルテ用ラベル２１の１枚を剥がさずに、複合ラベル用紙２０の台紙をカルテとして使用してもよい。
【００４７】
また、上記の例では、シンボルデータを生成するシンボル生成部１２を備えているが、シンボル生成部１２に替えて、予め複数のシンボルデータを記憶保持しているシンボル記憶部をコンピューター４に備えていてもよい。この場合には、データ処理部１３は、顔写真データ受信部１１が顔画像データを受信すると、記憶保持されているシンボルデータと顔写真データを１対１で関連づけて、被験者データベース１４に記憶保持する。
【００４８】
さらに、上記の例では、シンボルとして動物の顔のイラストを配列したものを用いているが、例えば、１つの動物のイラストであって、手・足・胴体の長さや大きさや色など、全体を構成しているパーツが互いに異なることにより、他のシンボルと識別できる複数のシンボルを用いることもできる。また、シンボルは動物に限らず、植物、幾何学模様などを用いることもできる。
【００４９】
また、上記の例では、コンピューター４とカラープリンター５とが別体に構成されているが、カラープリンター５がＣＰＵを搭載するものである場合には、顔写真データ受信部（入力部）１１、シンボル生成部（記憶部）１２、データ処理部（処理部）１３、被験者データベース１４、被験者情報入力部１５、印刷データ生成部１６、および、プリンター制御部（送信部）１７の全てをカラープリンター５に備えることもできる。
【００５０】
なお、上記の例は、印刷システム１および当該印刷システム１から発行される印刷物を医療用に用いた例であるが、医療以外の用途に用いてもよいことは勿論である。
【符号の説明】
【００５１】
１・・印刷システム、２・・被験者ＩＤシート（印刷物）、３・・デジタルカメラ（入力部）、４・・コンピューター、５・・カラープリンター（印刷部）、６・７・・ケーブル、８・・ディスプレイ、９・・入力装置、１１・・顔写真データ受信部、１２・・シンボル生成部、１３・・データ処理部、１４・・被験者データベース、１５・・被験者情報入力部、１６・・印刷データ生成部、１７・・プリンター制御部、１８・・入力画面、２０・・複合ラベル用紙、２１・・カルテ用ラベル、２２・・リストバンド用ラベル（第１ラベル）、２３・・シンボルラベル（第２ラベル）、２４・・第１のミシン目、２５・・第２のミシン目、３１・・カルテ、３２・・カルテ台帳、３３・・リストバンド、３４・・検体収容容器、３５・・検査結果レポート、Ｆ・・顔写真、Ｉ・・個人情報、Ｎ・・管理番号、Ｓ・・シンボル
【図１】
2014182424.tif 000003
【図２】
2014182424.tif 000004
【図３】
2014182424.tif 000005